(57)【要約】      （修正有）【課題】使い易く、構造が改善された布団乾燥機を提供する。【解決手段】本考案に係る乾燥支柱３の方向が調節可能な布団乾燥機は、メインハウジング１と、メインハウジング１に連接された外付けの排風パイプ２と、排風パイプ２の末端に装着された乾燥支柱３と、を備え、メインハウジング１には、切り欠き部が設けられ、乾燥支柱３には、前記切り欠き部と対応する係合部材が設けられ、乾燥支柱３は、前記係合部材によりメインハウジング１に掛けられ、前記係合部材は、少なくとも前記切り欠き部にそれぞれ吊るすことができる第一フック及び第二フックを含み、前記第一フックは、前記切り欠き部と対応し合って、乾燥支柱３を第一方向に位置させるように掛け、前記第二フックは、前記切り欠き部と対応し合って、乾燥支柱３を第二方向に位置させるように掛ける。【選択図】図１
0003213372.tif 000002
【実用新案登録請求の範囲】
【請求項１】
メインハウジングと、前記メインハウジングに連接された外付けの排風パイプと、前記排風パイプの末端に装着された乾燥支柱と、を備える乾燥支柱の方向が調節可能な布団乾燥機であって、
前記メインハウジングには、切り欠き部が設けられ、前記乾燥支柱には、前記切り欠き部と対応する係合部材が設けられ、前記乾燥支柱は、前記係合部材により前記メインハウジングに掛けられ、前記係合部材は、少なくとも前記切り欠き部にそれぞれ吊るすことができる第一フック及び第二フックを含み、前記第一フックは、前記切り欠き部と対応し合って、前記乾燥支柱を第一方向に位置させるように掛け、前記第二フックは、前記切り欠き部と対応し合って、前記乾燥支柱を第二方向に位置させるように掛けることを特徴とする乾燥支柱の方向が調節可能な布団乾燥機。
【請求項２】
前記乾燥支柱は、「Ｕ」字型パイプであり、前記排風パイプは、前記「Ｕ」字型パイプの弧状ブリッジ部と連通し、
前記「Ｕ」字型パイプの２つの分岐パイプには、排風口が設けられ、
前記係合部材は、前記弧状ブリッジ部に設けられ、前記第一フックの留め部は、前記分岐パイプの外端に向かって延伸して第一掛け空間を形成し、前記第二フックの留め部の延伸方向は、前記第一フックの留め部の延伸方向と反対であり、第二掛け空間を形成することを特徴とする請求項１に記載の乾燥支柱の方向が調節可能な布団乾燥機。
【請求項３】
前記排風パイプは、前記メインハウジングの右側壁の下部に連接され、前記切り欠き部は、前記メインハウジングの左側壁の上部に形成され、前記メインハウジングの頂部に少なくとも２つのリブを設けることにより、前記排風パイプの位置を限定するための保持空間を形成することを特徴とする請求項２に記載の乾燥支柱の方向が調節可能な布団乾燥機。
【請求項４】
前記排風パイプの末端には、ネジ山を介して継ぎ手が装着されており、前記乾燥支柱は、前記継ぎ手と取り外し可能に組み立てられ、前記乾燥機は、前記継ぎ手と組立可能な乾燥スリーブをさらに含むことを特徴とする請求項３に記載の乾燥支柱の方向が調節可能な布団乾燥機。
【請求項５】
前記メインハウジングの内部には、モーターが装着されており、前記モーターの出力軸には、インペラが連接され、前記インペラは、ガイドカバーにより被覆され、前記ガイドカバーには、吸気端及び前記排風パイプに連接する排気端が設けられ、前記排風パイプには、ヒーターが設けられ、前記ヒーターは、前記排風パイプと連通することを特徴とする請求項１に記載の乾燥支柱の方向が調節可能な布団乾燥機。
【請求項６】
前記排気端は、導管を介して薬箱と連通しており、
前記薬箱は、前記排風パイプとさらに連通していることを特徴とする請求項５に記載の乾燥支柱の方向が調節可能な布団乾燥機。
【考案の詳細な説明】
【技術分野】
【０００１】
本考案は、布団の乾燥機に関するものである。
【背景技術】
【０００２】
布団乾燥機は、日常生活において布団及び衣類などを乾燥するための電気製品である。海洋性亜熱帯モンスーン気候の地域では、毎年３月から４月までに、海から吹く暖かく湿った空気の流れは、北から南へ進行する冷たい空気と出会って、南辺地方で準静的フロントを形成し、一部の地域では雨が降り続け、ジメジメとした天気になる。この時、家の布団などは、非常に湿気り易い。湿っぽい布団を乾燥せずに、そのままで掛けると、人々の体に悪いことになる。
【０００３】
このような状況に直面して、布団乾燥機は開発された。しかし、市販されている布団乾燥機は、主に単管または二重管による排風構造を採用する。既存の布団乾燥機の排風パイプの末端には、乾燥支柱が設けられる。当該乾燥支柱の方向を調節することは、主に前記排風パイプ（通常、ソフトパイプである）を折り曲げることで実現する。このような方向調節方法は、対応する支持構造を有さず、固定し難しく、使用に不便である。
【考案の概要】
【考案が解決しようとする課題】
【０００４】
本考案は、従来の布団乾燥機の問題点を考慮してなされたものであり、使い易く、構造が改善された布団乾燥機を提供することを目的とする。
【課題を解決するための手段】
【０００５】
上記の課題を解決するために、本考案に係る乾燥支柱の方向が調節可能な布団乾燥機は、メインハウジングと、前記メインハウジングに連接された外付けの排風パイプと、前記排風パイプの末端に装着された乾燥支柱と、を備え、前記メインハウジングには、切り欠き部が設けられ、前記乾燥支柱には、前記切り欠き部と対応する係合部材が設けられ、前記乾燥支柱は、前記係合部材により前記メインハウジングに掛けられ、前記係合部材は、少なくとも前記切り欠き部にそれぞれ吊るすことができる第一フック及び第二フックを含み、前記第一フックは、前記切り欠き部と対応し合って、前記乾燥支柱を第一方向に位置させるように掛け、前記第二フックは、前記切り欠き部と対応し合って、前記乾燥支柱を第二方向に位置させるように掛ける。
【０００６】
また、前記乾燥支柱は、「Ｕ」字型パイプであり、前記排風パイプは、前記「Ｕ」字型パイプの弧状ブリッジ部と連通し、前記「Ｕ」字型パイプの２つの分岐パイプには、排風口が設けられ、
前記係合部材は、前記弧状ブリッジ部に設けられ、前記第一フックの留め部は、前記分岐パイプの外端に向かって延伸して第一掛け空間を形成し、前記第二フックの留め部の延伸方向は、前記第一フックの留め部の延伸方向と反対であり、第二掛け空間を形成する。
【０００７】
また、前記排風パイプは、前記メインハウジングの右側壁の下部に連接され、前記切り欠き部は、前記メインハウジングの左側壁の上部に形成され、前記メインハウジングの頂部に少なくとも２つのリブを設けることにより、前記排風パイプの位置を限定するための保持空間を形成する。
【０００８】
また、前記排風パイプの末端には、ネジ山を介して継ぎ手が装着されており、前記乾燥支柱は、前記継ぎ手と取り外し可能に組み立てられ、前記乾燥機は、前記継ぎ手と組立可能な乾燥スリーブをさらに含む。
【０００９】
前記メインハウジングの内部には、モーターが装着されており、前記モーターの出力軸には、インペラが連接され、前記インペラは、ガイドカバーにより被覆され、前記ガイドカバーには、吸気端及び前記排風パイプに連接する排気端が設けられ、前記排風パイプには、ヒーターが設けられ、前記ヒーターは、前記排風パイプと連通する。
【００１０】
前記排気端は、導管を介して薬箱と連通しており、前記薬箱は、前記排風パイプとさらに連通している。
【考案の効果】
【００１１】
本考案に係る乾燥機は、ハンギング方式を変えることにより、乾燥支柱の風排出方向を調節し、且つ乾燥支柱を異なる状態でメインハウジングに固定するので、使い易くなる。また、薬箱の風を導く構造は、改善され、コストを下げた。
【図面の簡単な説明】
【００１２】
【図１】本考案の全体構造を示す図である。
【図２】本考案のメインハウジングを示す斜視図である。
【図３】本考案の「Ｕ」字型の乾燥支柱の構造を示す図である。
【図４】本考案の乾燥支柱は、第二フックを介してメインハウジングに掛けられた状態を示す図である。
【図５】本考案に係る乾燥機の一部の内部構造を示す図である。
【考案を実施するための形態】
【００１３】
以下、具体的な実施例及び図面を参照しながら、本考案の構成及び利点などを詳細に説明する。ただし、ここで記述する具体的な実施例は、本考案を解釈するためのものであり、本考案を制限するものではない。
【００１４】
図１〜図５に示す乾燥支柱の方向が調節可能な布団乾燥機は、メインハウジング１と、メインハウジング１に連接された外付けの排風パイプ２と、排風パイプ２の末端に装着された乾燥支柱３と、を備える。メインハウジング１には、切り欠き部４が設けられている。乾燥支柱３には、切り欠き部４と対応する係合部材が設けられる。乾燥支柱３は、前記係合部材によりメインハウジング１に掛けられる。前記係合部材は、少なくとも切り欠き部４にそれぞれ吊るすことができる第一フック５及び第二フック６を含む。そのうち、第一フック５は、切り欠き部４と対応し合って、乾燥支柱３を第一方向に位置させるように掛ける。第二フック６は、切り欠き部４と対応し合って、乾燥支柱３を第二方向に位置させるように掛ける。
【００１５】
上述のように、異なる方位でのフックを設けることによって、乾燥支柱３を異なる方向に向ける姿勢でメインハウジング１に掛けることができる。このようにして掛ける方法は、簡単であり、操作し易く、且つ乾燥支柱３をサポートして固定する役割を果たす。ユーザは、異なる方向を選んで物を乾燥することができ、乾燥支柱３をメインハウジング１に貼着させるようにして収めておくことにも便利である。
【００１６】
排風パイプ２は、螺旋パイプを採用することが好ましい。乾燥支柱３は、「Ｕ」字型パイプである。排風パイプ２は、前記「Ｕ」字型パイプの弧状ブリッジ部と連通している。また、「Ｕ」字型パイプの２つの分岐パイプ３０には、排風口３１が設けられる。前記係合部材は、前記弧状ブリッジ部に設けられる。そのうち、第一フック５の留め部５０は、分岐パイプ３０の外端に向かって延伸して第一掛け空間５１を形成する。第二フック６の留め部６０の延伸方向は、第一フック５の留め部５０の延伸方向と反対であり、第二掛け空間６１を形成する。一般的には、排風パイプ２は、メインハウジング１の右側壁の下部に連接され、切り欠き部４は、メインハウジング１の左側壁の上部に形成される。メインハウジング１の頂部において、少なくとも２つのリブ１００を設けることにより、排風パイプ２を位置決めするための保持空間１０１を形成する。
【００１７】
図１に示すように、乾燥支柱３は、第一フック５を介してメインハウジング１に掛けられる。切り欠き部４の位置がより高いため、乾燥支柱３の全体は、メインハウジング１にほぼ対応しており、布団の乾燥に便利であり、乾燥支柱３を収めるのにも便利である。一方では、図４において、乾燥支柱３は、第二フック６を介してメインハウジング１に掛けられる。第二フック６の延伸方向は、第一フック５の延伸方向とちょうど反対である。第二フック６によって、乾燥支柱３の全体は、上向きである。特に、分岐パイプ３０の外端の排風口３１も上向きである。このようなハンギング状態は、より大きいな熱風気流空間を形成でき、衣類を乾燥することに便利であり、衣類を直接的に乾燥支柱３にかけても良い。さらに、保持空間１０１の存在は、排風パイプ２をメインハウジング１に相対的に付着するように固定させてるため、乱雑とならずに、使い易くさせる。
【００１８】
変更例として、排風パイプ２の末端に、ネジ山を介して継ぎ手を装着しても良い。乾燥支柱３は、前記継ぎ手と取り外し可能に組み立てられる。前記乾燥機は、前記継ぎ手と組立可能な乾燥スリーブ３００をさらに含む。乾燥支柱３と乾燥スリーブ３００とを、排風パイプ２に切り換えて装着して使用することによって、乾燥機の用途をさらに広くすることができる。
【００１９】
また、メインハウジング１の内部には、モーター７が装着されている。モーター７の出力軸には、インペラが連接されている。前記インペラは、ガイドカバー８により被覆されている。ガイドカバー８には、吸気端と排風パイプ２に連接する排気端とが設けられている。排風パイプ２には、ヒーターが設けられる。前記ヒーターは、排風パイプ２と連通される。好ましくは、前記排気端は、導管を介して薬箱９と連通される。薬箱９は、排風パイプ２とさらに連通される。薬箱９とは、乾燥機の中で滅菌及びホルムアルデヒドの除去に用いられる薬であり、例えば、クレバリン（Ｃｌｅｖｅｒｉｎ）である。
【００２０】
従来の乾燥機は、単独構造の送風機を採用して上記薬を排風パイプ２の中に発散する。本考案は、導管を設けることにより、風をガイドカバー８の中から薬箱９まで導くことにより、構造を簡素化し、コストを節約可能とした。
【００２１】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００２２】
１      メインハウジング
２      排風パイプ
３      乾燥支柱
４      切り欠き部
５      第一フック
６      第二フック
７      モーター
８      ガイドカバー
９      薬箱
３０    分岐パイプ
３１    排風口
５０    留め部
５１    第一掛け空間
６０    留め部
６１    第二掛け空間
１００  リブ
１０１  保持空間
３００  乾燥スリーブ
【図１】
0003213372.tif 000003
【図２】
0003213372.tif 000004
【図３】
0003213372.tif 000005
【図４】
0003213372.tif 000006
【図５】
0003213372.tif 000007